Podtech/llm-jp-corpus-v4-ja_patent huggingface dataset:
(57)【要約】【課題】  水素資源の獲得と水資源の獲得が別々に行なわれて来た。【解決手段】  水を電気分解した際の、水素と酸素の発生圧力を淡水製造に使う。【特許請求の範囲】
【請求項１】
水素資源、水資源を得るために、風力発電、水力発電、太陽光発電などで発電した電気で海水、汚水などを電気分解した際の水素と酸素の圧力を利用して、逆侵透膜や透過膜を使い、海水、汚水などから淡水も製造するシステム。
【発明の詳細な説明】
【技術分野】
【０００１】海水、汚水などを電気分解して、水素を獲得し、その際の水素、酸素の発生圧力を利用して淡水も獲得する。
【技術背景】
【０００２】従来は、水の電気分解により水素資源を獲得する考えはあった。
又、逆侵透膜、透過膜を使い、海水、汚水を淡水化する考えもあった。
【発明が解決しようとする課題】
【０００３】電気分解で水素資源を大量に獲得する手段がまだ一般化しないのは、コストの問題である。
そこで、現在水資源の確保の為に海水を逆侵透膜で淡水化する技術が一般化してきたが、この逆侵透膜に供給する海水の約６ＭＰａの圧力を、この海水を電気分解する時の、水素と酸素の発生圧力がまかなうことを考えた。
即ち、水素資源と水資源が同時に獲得でき、コストパーフォーマンスが良くなり、海水、汚水の電気分解により、水素と水の獲得が一般的になると考えた。
【課題を解決するための手段】
【０００４】水を電気分解する際の水素と酸素の発生圧を高圧にして利用するシステムとして、
日刊工業新聞Ｈ１６．８．３  ２９面に“水電解の水素、圧縮機使わず４０ＭＰａ”として、図面が乗っています。
この目的圧は４０ＭＰａですが、高圧の逆侵透膜を使う場合の圧が６ＭＰａ程度ですから現技術で充分現実化すると思われる。
【発明を実施するための最良の形態】
【０００５】海岸砂漠で、太陽電池又は風力発電又は潮流発電などで発電した電気で海水を電気分解して水素を製造する際の、水素と酸素の発生圧力で逆侵透膜を使い、淡水も製造する。
これを大規模に行うと、水素エネルギー資源と水エネルギー資源の双方を大量に獲得することが出来る。
【発明の効果】
【０００６】人類の水問題、エネルギー問題が解決する。
(57)【要約】      （修正有）【課題】厚い母材（２２ｍｍ以上）でも容易く裏当て金を固定できることを提供する。【解決手段】締めつけボルトＡは、山が大き目の物を使用し、受けネジＥは逆に細目の山を使用するか、９ｍｍ、６ｍｍ、３．２ｍｍ、別々にして、Ｄに合わせて取り付ける、どちらも時計まわりにする。Ｓ部とＲ部の角度は２３５度にして開先の３５度に合わせてＳ部と開先に隙間がないようにする、そして、裏当て金がＩ部のＦ点に当たると、開先の末端から自動的にＤが６ｍｍはみ出るようにする。Ｉ部は大きな力が加わる所なので鋼鉄の無垢にして強度を図る。【選択図】図１
2006075845.tif 000002
【特許請求の範囲】
【請求項１】
図１支点Ｅ、Ａ、Ｆ、３点でＤを固定する、変形型しゃこ万力であることを特長とする裏当て金取り付け工具。
【請求項２】
前記の支点ＥはＤの厚みに調整できることを特徴とする請求項１記載の裏当て金取り付け工具。
【発明の詳細な説明】
【技術分野】
【０００１】
この発明は図６、図１に示すように、鋼材である母材Ｃの角度３５度の開先Ｊに、裏当て金Ｄを固定し、仮付け溶接するための工具、しゃこ万力の形状に関する。  
【背景技術】
【０００２】
図６従来、裏当て金Ｄ（通常厚さ９ｍｍ幅２５ｍｍ）を固定するために用いていたしゃこ万力は、図５の形状がほとんどであるため、開先Ｊのある厚板ＣにＤを固定する場合には無理があり、それぞれが工夫する必要があった。
【発明の開示】
【発明が解決しようとする課題】
【０００３】
以上の従来の技術によれば、図５のＭＭ'の破線のように、締めつけるためのボルトＡと裏当て金を受ける顎Ｂは一直線上にあるため、角度３５度に機械加工された開先Ｊは、母材Ｃが厚くなればなるほどＤの中心からＣの中心に向かって外れていくので、従来のしゃこ万力では薄い鋼板は差支えないが、厚い鋼板には無理があり，それぞれ工夫する必要があり時間も費やした。そこでこの発明は、厚い母材（２２ｍｍ以上）でも容易く裏当て金を固定できることを提供することを課題とする。
【課題を解決するための手段】
【０００４】
そこで以上の課題を解決するために、第一発明は図１のように締めつけボルトＡと受け顎Ｂ部の芯を大きく伸ばすことによって梃子の原理を応用し、開先のあるＣなら、薄い鋼材から厚い鋼材まで裏当て金を容易く無理なく固定することが出来ることを特徴とした、変形型しゃこ万力である。
【０００５】
以上の課題を解決するために図１の、Ｄ止めポイントＦと受けボルトＥの中心線ＯＯ'までの長さは、Ｆ点からＡの中心線ＮＮ'までの長さの倍、若しくは、それ以上の寸法にした事を特徴とした、変形型しゃこ万力である。
【０００６】
第二発明は図２のように、Ｂ部の上面を半円形状にして、Ｅをボルトにしたことにより、裏当て金の厚さに合わせて調整でき、又、鋼管等の円形の裏当て金取り付けにも応用できることを特徴とする変形型しゃこ万力である。
【発明の効果】
【０００７】
第一、二発明によれば，図1のように厚い開先Ｊのある母材ＣにＤを取り付ける事が出来、又、Ｆ点のからＥまでの幅の裏当て金を取り付けることが出来る。Ｄの厚みにＥを調整出来るので、薄物から厚い物までＤを固定できる。
【０００８】
また図２の、ＥのＵ部とＡのＧ部を半径500ミリ（５００Ｒ）程に加工し、滑らかな半円状にして、鋼管等の円形状の鋼材でも、スムーズにＤを固定できるようにする。
【発明を実施するための最良の形態】
【０００９】
この発明の一実施形態を、図１、図２、図３に示す。
変形しゃこ万力の本体（図１）は鋼鉄製であり、締めつけボルトＡは、山が大き目の物を使用し、受けネジＥは逆に細目の山を使用するか、９ｍｍ、６ｍｍ、３．２ｍｍ、別々にして、Ｄに合わせて取り付ける、どちらも時計まわりにする。Ｓ部とＲ部の角度は２３５度にして開先の３５度に合わせてＳ部と開先に隙間がないようにする、そして、裏当て金がＩ部のＦ点に当たると、開先の末端から自動的にＤが６ｍｍはみ出るようにして，ピッタリはまり込むような溝には加工しない、何故なら、規格品であっても厚みや幅に多少の誤差がある。又Ｉ部は大きな力が加わる所なので鋼鉄の無垢にして強度を図る。
【実施例】
【００１０】
この実施形態によれば裏当て金取り付け工具は従来のしゃこ万力より小型化、軽量化出来る、そして裏当て金をＢ部に乗せて,Ａを締めるだけなので、取り付けが容易い。
【００１１】
「他の実施形態」  
図４の実施形態、一度に上下の裏当て金を取り付ける方法でｙ部を右に回すと延びて行き、逆に回すと縮む。（左右対称、上下ほぼ対称なので逆も言える）２００×２００以下のコラムには向いてない。コラムが小さいと、本体が仮付け溶接の邪魔になる可能性が大。２５０ｍｍ以上５５０ｍｍまでが、適当と思われる。又殆どのコラムの裏当て金の寸法は９×２５ｍｍだが、それ以外を使用する場合は、Ｘ部を裏当て金に合わせて、取り換える必要がある。
【図面の簡単な説明】
【００１２】
【図１】変形型しゃこ万力の開先のある母材にＤを固定した実施形態を示す側面図である。
【図２】この発明の一実施形態を示す正面図である。
【図３】この発明の一実施形態を示す平面図である。
【図４】この発明の他の実施形態を示す側面図である。
【図５】従来の実施形態を示す側面図である。
【図６】コラム、コアの断面図のである。
【符号の説明】
【００１３】
Ａ    締めつけボルト                      
Ｂ    受け顎部            
Ｃ    母材                          
Ｄ    裏当て金          
Ｅ    受けボルト                  
Ｆ    Ｄ止めポイント
Ｇ    Ａの母材との接触面                          
Ｈ    ダイヤフラム（コアの蓋）
Ｊ    角度５５度の開先                                          
Ｋ    ２３５度
ＭＭ'  図５のボルトＡの中心線
ＮＮ'  図１のボルトＡの中心線
ＯＯ'  受けボルトＥの中心線
Ｘ    受け顎（図４）                                    
Ｙ    ナットのグリップ部
Ｗ    溶接
Ｑ    丸棒
Ａ‘  ＦとＥの力の分技点
Ｔ    母材の厚みの許容範囲    
Ｒ    頭部（ナット部）      
Ｓ    首部
Ｉ    腹部
【図１】
2006075845.tif 000003
【図２】
2006075845.tif 000004
【図３】
2006075845.tif 000005
【図４】
2006075845.tif 000006
【図５】
2006075845.tif 000007
【図６】
2006075845.tif 000008
(57)【要約】      （修正有）【課題】タイマー機能とハーブティー・アロマオイル・薬草溶かした水を噴水し、心理状態に合わせて光の色が変わるライト機能を有するミニ噴水を提供する。【解決手段】家の中でオブジェとして飾れるミニ噴水の水中にハーブティー・アロマオイル・薬草を溶かし噴水１して、マイナスイオン・ハーブやアロマオイル・薬草の成分を空気中に放出する。タイマー機能を有して、起床時には覚醒のハーブティー・アロマオイル・薬草を自動的に噴水して身体を覚醒させ、無人時間帯では殺菌作用のハーブティー・アロマオイル・薬草を自動的に噴水し部屋を殺菌し、くつろぎたい時間帯では鎮静効果があるハーブティー・アロマオイル・薬草を自動的に噴水しリラックスまたは誘眠させる。このようなタイマー機能により人間のサーカデアリズム・ライフスタイルに合わせる。【選択図】図１
2006075615.tif 000002
【特許請求の範囲】
【請求項１】
ハーブティー・アロマオイル・薬草を溶かした水を、家の中でオブジェとして飾れるミニ噴水の水の中に溶かし噴水にすることにより、マイナスイオン・ハーブやアロマオイル・薬草の成分を空気中に放出し人体に効力を及ぼす。またタイマー機能を有することで、起床時など覚醒させたい時に覚醒のハーブティー・アロマオイル・薬草が溶けた水を自動的に噴水にすることによって身体を覚醒させる。また人がいない時間帯では殺菌作用のハーブティー・アロマオイル・薬草を自動的に噴水し部屋の中を殺菌し部屋をクリーンな状態にさせる。人がくつろぎたい時間帯では、鎮静効果があるハーブティー・アロマオイル・薬草を自動的に噴水し人をリラックスさせるか、また誘眠させるなど人間のサーカデアリズム・ライフスタイルに合わせる。また、タイマー機能とハーブティー・アロマオイル・薬草の効能と同調して心理状態に合わせた光が発することによる効果を相乗するライト機能を併せて有する。
【発明の詳細な説明】
【技術分野】
【０００１】  本発明は、タイマー機能を有しかつ心理効果をもつライト機能もつハーブティー・アロマオイル・薬草溶かした水の室内で噴水することによって人を健康にする噴水。
【背景技術】  今までの室内用噴水は、ハーブティー・アロマオイル・薬草を溶かした水の噴水のオブジェが無かった。
【発明の開示】
【課題を解決するための手段】
【０００２】  室内用噴水の水をハーブティー・アロマオイル・薬草を溶かした水を使用する。【０００３】  タイマー機能を持たせてハーブティー・アロマオイル・薬草の噴水する種類・時間を人間のサーカデアリズム及びライフスタイルに合わせられる。【０００４】  タイマー機能と連動して心理的効果が得られる光が発せられる。【０００５】  噴水によってハーブティー・アロマオイル・薬草成分と共にマイナスイオンを発生させる。
【発明の効果】
【０００６】  タイマー機能による適時のハーブティー・アロマオイル・薬草の人体への吸収および心理的効果が得られ、また光・マイナスイオンにより人が健康な生活をおくれる。
【発明を実施するための最良の形態】
【実施例】
【０００７】  ハーブティー溶かした水を、家の中でオブジェとして飾れるミニ噴水の水の中に溶かし噴水にすることにより、マイナスイオンやハーブの成分を空気中に放出し人体に効力を及ぼす。
例えばタイマーをかけ起床時など覚醒させたいハーブティーのミントを噴水にすることによって身体を覚醒させる。また人がいない時間帯では殺菌作用があるティトリーなどのハーブを自動的に噴水し部屋の中を殺菌し部屋をクリーンな状態にさせる。人がくつろぎたい時間帯では、鎮静効果があるラベンダーを自動的に噴水し人をリラックスさせるか、また誘眠させるなど人間のサーカデアリズム・ライフスタイルに合わせる。また、タイマー機能と合わせてハーブティーとの効能と同調して心理状態に合わせた光の色が変わるライト機能を発する。
【産業上の利用可能性】
【０００８】  人間にサーカデアリズム及びライフスタイルに、ハーブティー・アロマオイル・薬草の溶けた水を個人の部屋に噴水することによって、人の心身共によくなる。
【図面の簡単な説明】
【０００９】
【図１】タイマー機能と心理効果をもつライト機能を有するハーブティー・アロマオイル・薬草を溶かした水を噴水し心理・身体状態をコントロールする室内用ミニ噴水の概略図
【図２】タイマー機能と合わせてハーブティー・アロマオイル・薬草との効能と同調して心理状態に合わせた光の色が変わるライトの図
【符号の説明】
【００１０】１  ハーブティー・アロマオイル・薬草を溶かした水の噴水
２  ハーブティー・アロマオイル・薬草が溶けた水
３  ハーブティー・アロマオイル・薬草の分子
４  マイナスイオン
５  水分子
６  タイマー
７  ライト
８  透明なプラスチックかガラス
９  心理状態で選択できる光
【図１】
2006075615.tif 000003
【図２】
2006075615.tif 000004
(57)【要約】【課題】従来において入浴時に発生する浴槽の大きさが固定されているがためにおこる問題解決と介護の手助け・水中での運動ができる多目的浴槽を提供するものである。【解決手段】従来の浴槽としての機能を残しながら、部品の集合体としの浴槽により浴槽自体の広さが変えられ、浴槽の縁を扉にして開くこによより浴槽の底と床はバリヤフリーになり車椅子のままで入れる、また、順次扉を閉めることにより湯の深さが深くなり水中での運動ができることを特徴とした多目的浴槽。【選択図】図２
2006075570.tif 000002
【特許請求の範囲】
【請求項１】
従来の浴槽としての機能を残しながら、部品の集合体としの浴槽することにより浴槽自体の広さが変えられ、浴槽の縁を扉にして開くこにより扉が床との橋渡しとなり浴槽の底と床はバリヤフリーになり車椅子のままで入れる、また、順次扉を閉めることにより湯の深さを深くすることができ水中での運動ができることを特徴とした多目的浴槽。
【発明の詳細な説明】
【技術分野】
【０００１】本発明は、従来において入浴時に発生する浴槽の大きさが固定されているがためにおこる問題解決と介護・運動を目的とした多目的浴槽に関するものである。
【背景技術】
【０００２】従来は、入浴することのみが目的で他に利用することはできなかった。浴槽の広さも固定されており、入る人の条件（体の大小・人数）が考慮されていない。
【発明の開示】
【発明が解決するための課題】
【０００３】そのために、条件の異なった後に入浴すると、湯が浴槽から流れ出たり、追加で入れたりと非常に効率が悪くなっている。
【課題を解決するための手段】
【０００４】従来の浴槽としての機能を残しながら、部品の集合体としの浴槽にするより浴槽自体の広さが変えられ、浴槽の縁を扉にして開くこによより浴槽の底と床はバリヤフリーになり車椅子のままで入れる、また、順次扉を閉めることにより湯の深さが深くなり水中での運動ができる。以上を特徴とする多目的浴槽。
【発明の効果】
【０００５】  イ  浴槽の広さが変えられることにより、入る人の条件に合わせることができ水・燃料・時間の節約ができる。
ロ  バアリヤフリーであることにより、車椅子のままでは入れるため介護が非常に楽になる。。
ハ  プールに行くことなく、入浴しながら水中での運動ができる。
【発明を実施するための最良の形態】
【０００６】以下、本発明の実施の形態を説明する。
（イ）縁Ｂ（２）・縁Ｃ（３）の下部にキャスター（５）を取り付ける。
（ロ）縁Ａ（１）を浴室の一番奥中心に固定する。
（ハ）固定金具（１６）を縁Ａ（１）の両端に取り付ける。
（ニ）回転軸（１０）にベルト（１５）を通して、回転軸（１０）を固定金具（１６）に取り付ける。
（ホ）縁Ｂ（２）・縁Ｃ（３）の外側にローラー（１３）を取り付ける。
（ヘ）縁Ｂ２＿１（２＿１）から縁Ｂ２＿１０（２＿１０）を回転軸穴（１１）に回転軸（１０）を通して設置する。
（ト）縁Ｃ（３）にスイッチ（６）を取り付ける。
（チ）縁Ｃ（３）の両方の回転軸穴（１１）に回転軸（１０）を通して、止まるところまで押し込む。
（リ）横木（１２）を縁Ｂ（２）に取り付ける。
（ヌ）モーターを縁Ａ（１）取り付ける。
（ル）制御盤を浴槽の内側と外側の両方と浴室外側の三箇所に取り付ける。
（ヲ）縁Ｃ（３）を所定の位置に設置するために、縁Ｃ（３）を少し押しながら、制御盤の「縮む」を押す。
（ワ）ローラー（１３）が壁に密着するまでローラー（１３）のローラー足（１８）を伸ばす。
（カ）伸縮できる素材でできたカバー（７）を浴槽内側に取り付ける。
（ヨ）踏み台（１４）を縁Ａ（１）取り付ける。
本発明は、以上の構成によりなっている。
本発明の使用は、浴槽の広さを変えるために動力としてモーターを使用している。モーターの制御は制御盤を浴槽の内側と外側の両方と浴室外側の三箇所に取り付けて制御盤より行う。バリヤフリーにするには浴槽を最大に広げて扉Ａ（１）・Ｂ（２）を開くことにより浴槽底と床がバリヤフリーとなる。また、水中での運動をするときは湯の深さが胸の高さになるように扉Ａ（８）を閉めて、浴槽を縮める。湯の量が足らないときは湯を追加して、踏み台の折りたたみ部分を開き、手摺（１９）をつかみながら行います。
【図面の簡単な説明】
【０００７】
【図１】本発明の浴槽の底構造図。
【図２】本発明の浴槽を広げた時の全体斜視図。
【図３】本発明の水平断面（Ａ−Ａ）図。
【図４】本発明の垂直断面（Ｂ−Ｂ）図。
【符号の説明】
【０００８】  １  縁Ａ
２＿１  縁Ｂ２＿１
２＿２  縁Ｂ２＿２
２＿３  縁Ｂ２＿３
２＿４  縁Ｂ２＿４
２＿５  縁Ｂ２＿５
２＿６  縁Ｂ２＿６
２＿７  縁Ｂ２＿７
２＿８  縁Ｂ２＿８
２＿９  縁Ｂ２＿９
２＿１０  縁Ｂ２＿１０
３  縁Ｃ
４  止め木
５  キャスター
６  スイッチ
７  カバー
８  扉Ａ
９  扉Ｂ
１０  回転軸
１１  回転軸穴
１２  横木
１３  ローラー
１４  踏み台
１５  ベルト
１６  固定金具
１７  接続金具
１８  ローラー足
１９  手摺
【図１】
2006075570.tif 000003
【図２】
2006075570.tif 000004
【図３】
2006075570.tif 000005
【図４】
2006075570.tif 000006
(57)【要約】【課題】取っ手付きコップの取っ手部を中空の半円径形状の蓋にし，その蓋には底があり、蓋は１８０度開閉可能にして、洗浄時には蓋を開けて内側を隅々まで洗える衛生的な歯ブラシ入れを提供する。【解決手段】コップ（１）に取っ手（２）を設け、取っ手（２）は平板（３）と中空の半円径形状の蓋（４）からなり、丁番（５）で１８０度まで開閉可能にし、又蓋（４）に底を設け歯ブラシを挿入できる。歯ブラシの入る取っ手の内部の汚れ、水垢は蓋（４）を開けることにより、隅々まで綺麗に洗えることを特徴とする取っ手に歯ブラシを収納できるコップ。【選択図】    図４
2006075565.tif 000002
【特許請求の範囲】
【請求項１】
取っ手付きコップで、取っ手は中空の円柱を半分にした形状からなり、その半分の円形状部が複数の丁番で１８０度開閉可能な取っ手に歯ブラシを収納できるコップ。
【請求項２】
中空の円形状部の底部には底板を設け、締めたとき歯ブラシが落ちない、すみずみまで綺麗に清掃でき、極めて衛生的なことを特徴とする請求項１記載の取っ手に歯ブラシを収納できるコップ。
【発明の詳細な説明】
【技術分野】
【０００１】  本発明は、取っ手付きコップと歯ブラシ入れに関するものである。
【背景技術】
【０００２】  従来、歯ブラシを立てて置くには洗面化粧台備え付けの歯ブラシ台、コップ本体の中、あるいは歯ブラシ専用の歯ブラシ台等に収納し、複数の歯ブラシ同士が接触し、又第三者の歯ブラシと間違えるような歯ブラシ台があった。又、取っ手付きコップに歯ブラシ入れのついた実開平０５−０３７１８１等があるが、市販されていない。
【発明の開示】
【発明が解決しようとする課題】
【０００３】  それには次のような問題点があった。
（イ）備えつきの歯ブラシ入れでは複数の歯ブラシ同士が接触したり、第三者の歯ブラシと間違えることが多い。
（ロ）取っ手付きコップ本体に歯ブラシ入れが付いたものはあるが、半円形の取っ手部の蓋が１８０度開く歯ブラシ入れはない。
（ハ）歯ブラシ入れの底部の内側が水垢等で汚れて雑菌が繁殖しても、隅々まで綺麗に洗えるコップはなかった。
本発明は、以上の問題を解決するためのものである。
【問題を解決するための手段】
【０００４】  コップ（１）に取っ手（２）を設け、取っ手（２）は合成樹脂製の平板（３）と中空で底部のある合成樹脂製の半円径形状の蓋（４）を設け、蓋（４）は丁番（５）により１８０度開閉可能とし、歯ブラシ内部の水垢等の汚れを蓋（４）を開閉して内側を洗い清潔にした、衛星面を充分配慮したコップである。
本発明は、以上のような構成よりなる取っ手に歯ブラシを収納できるコップである。
【発明の効果】
【０００５】  本発明は、歯ブラシ入れの付いた取っ手付きコップで、取っ手に歯ブラシを収納できる、その取っ手は半円径形状の蓋は底があり、１８０度開閉可能で底部の水の汚れ・水垢を綺麗に洗える効果があり、又歯ブラシ同士の接触，第三者との間違いもなくなり極めて衛生的である。
【発明を実施するための最良の形態】
【０００６】以下本発明の実施の形態を説明する。
（イ）合成樹脂製コップ（１）に取っ手（２）を設ける。
（ロ）コップの取っ手（２）は平板（３）と中空の半円径形状の蓋（４）が丁番（５）で接続し、蓋（４）の底部には底を設けられている。
（ハ）コップの取っ手（２）の中空の半円径形状の内側の歯ブラシ入れに歯ブラシを入れる。
（ニ）コップの取っ手の歯ブラシ入れを洗うときは半円径形状の蓋（４）を開いて、蓋（４）の内側の汚れ、水垢等を完全に洗うことができる。
（ホ）歯磨きいれを洗った後は蓋（４）を閉め、歯ブラシを入れる。
本発明は、以上のような構成よりなっている。
これを使用する時は、歯ブラシを取っ手の中空の半円径形状の歯ブラシ入れから取り出し，歯を磨いた後に取っ手に戻す。又蓋の内側を洗浄するときは、蓋を開き、蓋の内側の汚れ、水垢を綺麗に洗うことができる。そして洗った後は蓋は閉じて元に戻し、歯ブラシをいれる。
【図面の簡単な説明】
【０００７】
【図１】  本発明の正面図である。
【図２】  本発明の右側面図である。
【図３】  本発明の平面図である。
【図４】  本発明の蓋が開いた平面図である。
【図５】  本発明の蓋が開いた右側面図である。
【符号の説明】
【０００８】  １  合成樹脂製コップ
２  取っ手
３  平板
４  蓋
５  丁番
【図１】
2006075565.tif 000003
【図２】
2006075565.tif 000004
【図３】
2006075565.tif 000005
【図４】
2006075565.tif 000006
【図５】
2006075565.tif 000007
(57)【要約】【課題】    本発明は、横型のショルダーバックを肩にかけている時に、片方のベルトの系止部分を移動することで、縦型のショルダーバックにして、人間の体幅より幅を取る部分を減らすことができる横型兼縦型ショルダーバックを提供する。【解決手段】    横型のショルダーバックの短い方の側面にベルト用の系止部分を設ける。  ショルダーバックのベルトの一部を、その系止部分に止めることにより、縦型のショルダーバックになり、人間の体幅より幅を取る部分を軽減することができる。  以上を特徴とする横型兼縦型ショルダーバックである。【選択図】  図１
2006075569.tif 000002
【特許請求の範囲】
【請求項１】
横型のショルダーバックの短い方の側面にベルトの系止部分を設けることを特徴とする横型兼縦型ショルダーバック。
【発明の詳細な説明】
【技術分野】
【０００１】  本発明は、横型のショルダーバックを肩にかけている時に、片方のベルトの系止部分を移動することで、縦型のショルダーバックにして、人間の体幅より幅を取る部分を減らすことができる横型兼縦型ショルダーバックに関するものである。
【背景技術】
【０００２】  従来、横型のショルダーバックは、人間の体幅より幅を取る部分が多いため、人ごみや狭い場所で、人や物にぶつかりやすく、雨の日は、傘からはみ出る部分が多くなる。
ぶつかるのを防ぐため、手に持ったりして、わずらわしい面がある。
【発明の開示】
【発明が解決しようとする課題】
【０００３】  そのために、次のような問題があった。
パソコンなど特に重い物が入ってる場合、手で持つのは疲れる。
満員電車やバスの中、小売店や食堂などの狭い通路などでは特に不便である。
横幅があるので、雨の日は、傘からはみ出る部分が多くなるため、雨に濡れやすい。
本発明は，以上の問題点を解決しようとするものである。
【課題を解決するための手段】
【０００４】  横型のショルダーバックの短い方の側面にベルト用の系止部分を設ける。
ショルダーバックのベルトの一部を、その系止部分に止めることにより、縦型のショルダーバックになり、人間の体幅より幅を取る部分を軽減することができる。
以上を特徴とする横型兼縦型ショルダーバックである。
【発明の効果】
【０００５】  人間の体幅より幅を取る部分が少なくなることにより、人ごみや狭い場所で、ショルダーバックを人や物にぶつかるのを軽減することができる。
手で持つわずらわしさからも開放される。
雨の日も傘からはみ出る部分が少なくなるので、雨に濡れる部分が少なくなる。
【発明を実施するための最良の形態】
【０００６】  以下、本発明の実施の形態を説明する。
（イ）横型兼縦型ショルダーバック（６）のカバン側面（３）に系止部分（１）を設ける。
（ロ）系止部分（１）は、片方の横方向からのみベルト（２）を種入することができる。
本発明は、以上の構成よりなっている。
本発明を使用するときは、横型兼縦型ショルダーバック（６）が横型状態の時にベルト（２）を短い方の側面の系止部分（１）に止め、横型兼縦型ショルダーバック（６）を縦型状態にする。
ショルダーバックは、人間の体幅より幅を取る部分が少なくなり、人や物にぶつかる部分が少なくなる。
また、ベルトにボタン状あるいはリング状の系止部分の雌部分（５）を設け、横型兼縦型ショルダーバック（６）の短い方の中央の側面あたりにボタン状あるいはリング状の系止部分の雄部分（４）を設け使用することもできる。
【図面の簡単な説明】
【０００７】
【図１】本発明の斜視図
【図２】本発明のベルトとカバン側面の系止部分を接合させた斜視図
【図３】本発明の系止部分付近を拡大させた斜視図
【図４】本発明のベルトとカバン側面の系止部分を接合させ、拡大させた斜視図
【図５】本発明の使用状態を示す斜視図
【図６】本発明のベルトの系止部分とカバン側面の系止部分を取り付けた場合の斜視図
【図７】本発明のベルトの系止部分とカバン側面の系止部分を取り付けた場合に接合させた斜視図
【符号の説明】
【０００８】  １  系止部分
２  ベルト
３  カバン側面
４  系止部分の雄部分
５  系止部分の雌部分
６  横型兼縦型ショルダーバック
【図１】
2006075569.tif 000003
【図２】
2006075569.tif 000004
【図３】
2006075569.tif 000005
【図４】
2006075569.tif 000006
【図５】
2006075569.tif 000007
【図６】
2006075569.tif 000008
【図７】
2006075569.tif 000009
(57)【要約】【課題】          ペーパーホルダーと言えば、ぺーぱー本体の中心部に心棒を通しホルダー本体にセットしていたが、ペーパー本体をホルダに入れるだけでホルダーの底、中央部からペーパーの取り出しを簡素化し制作費も格安です。【解決手段】  １  ホルダー本体  ２開閉ブタ  ３  スペーヤ底板  ４  窓はスペーヤ  収納窓は指１本で簡単に取り出せる。本体の窓はペーパーの残が確認できる。５  ペーパー本体底板は外側から中央部に向けて傾斜角度をつける。６  中央部にはペーパー取り出し口をもうける。７  カッター。【選択図】          図１
2006075567.tif 000002
【特許請求の範囲】
【請求項１】
ペーパーの、取り出しをケースの底の中央部にもうけ、底部分を外側から中央部に向けて傾斜させ角度を付ける事によって、使用時ペーパー本体の回転が安定する仕組みにしたペーパーホルダー。
【請求項２】
ケース本体の、上段にはペーパースペーヤーの収納が出来るように簡素化したペーパーホルダー。
【発明の詳細な説明】
【技術分野】
【０００１】  本発明は、ペーパーの取り出しをケースの底の中央部にもうけ、底部分を中央部にむけて傾斜させる事によってペーパー本体が安定する仕組みである。
【背景技術】
【０００２】従来、ペーパー、ホルダーはケース本体に心棒によってペーパー本体をセットし、ペーパー本体の交換が不便であった。
【発明の開示】
【発明の効果】
【０００３】  このようにすれば、ペーパーのスペイヤの収納も出来、ペーパーのセットもペーパーの先端部を底部分の取り出し口に通し、ペーパー本体をケース内に入れるだけで簡単、カッターが付いているので、切り出しも片手で簡単に出来る。
【発明を実施する為の最良の形態】
【０００４】本発明は，ペーパーホルダーケースの底の中央部に、ペーパー取り出し口をもうけさらに底部を中央部にむけて傾斜させ角度を付ける事によって、ペーパー本体の使用時回転が安定する。
【図面の簡単な説明】
【０００５】
【図１】ペーパーホルダー断面図である。
【符号の説明】
【０００６】                      ４  窓
１  ホルダー本体      ５  ペーパー本体底板
２  開閉フタ          ６  ペーパー取り出し口
３  スペイヤー底板    ７  カッター
【図１】
2006075567.tif 000003
(57)【要約】【課題】取っ手付きコップの取っ手部を中空にして、その底部に底蓋を設け、底蓋を取外し洗える、衛生的な取手の中に歯ブラシを収納できるコップを提供する。【解決手段】コップ（１）に取っ手（２）を設け、取っ手（２）を中空の筒状にし、その底部に底蓋（４）を設け、その底蓋（４）を取外し可能にし、歯ブラシ（３）を収納でき、底蓋を取り外して洗えることを特徴とする取っ手に歯ブラシを収納できるコップ。【選択図】    図４
2006075562.tif 000002
【特許請求の範囲】
【請求項１】
取っ手付きコップで、取っ手の中空部の内部に歯ブラシを収納できることを特徴とした取っ手に歯ブラシを収納できるコップ。
【請求項２】
取っ手の底部に底蓋を設け取外し取付けが容易で、すみずみまできれいに清掃でき、極めて衛生的なことを特徴とした請求項１記載の取っ手に歯ブラシを収納できるコップ。
【発明の詳細な説明】
【技術分野】
【０００１】  本発明は、取っ手付きコップと歯ブラシ入れに関するものである。
【背景技術】
【０００２】  従来、歯ブラシを立てて置くには洗面化粧台備え付けの歯ブラシ台、コップ本体の中、あるいは歯ブラシ専用の歯ブラシ台等に収納し、複数の歯ブラシ同士が接触し、又第三者の歯ブラシと間違えるような歯ブラシ台があった。又、取っ手付きコップに歯ブラシ入れの付いたコップ実開平０５−０３７１８１があった。
【発明の開示】
【発明が解決しようとする課題】
【０００３】  それには次のような問題があった。
（イ）複数の歯ブラシ同士が接触したり、第三者の歯ブラシと間違えた。
（ロ）取っ手付きコップ本体に歯ブラシ入れが付いたものはあるが、取っ手の中空部の中に歯ブラシ入れが付いるものはない。
（ハ）歯ブラシ入れの底に水滴が溜まり雑菌が繁殖し、その底の部分が充分に洗えるコップがなかった。
（ニ）歯ブラシ入れの底が取外しできるコップがなかった。
本発明は、以上の問題を解決するためのものである。
【問題を解決するための手段】
【０００４】  コップ（１）に取っ手（２）を設け、取っ手（２）は中空にし、その内部に歯ブラシ（３）を収納する、取っ手（２）の底部に底蓋（４）を設け、底蓋（４）は取外し可能とし、取っ手内部の底部に溜まった水、水垢等の汚れの清掃を容易にし、衛生面を配慮した。
本発明は、以上のような構成よりなる取っ手に歯ブラシを収納できるコップである。
【発明の効果】
【０００５】  本発明は、取っ手付きコップで、歯ブラシが取っ手の中空部の中に収納され、その取っ手の底部には取外し出来る底蓋を設けて、水垢等の汚れを容易に清掃できる、又、歯ブラシ台等も不要で，第三者との区別もでき間違いがなくなり整理整頓も容易であり、かつ衛生的である。
【発明を実施するための最良の形態】
【０００６】  以下本発明の実施の形態を説明する。
（イ）  コップ（１）に取っ手（２）を設ける。
（ロ）  取っ手（２）を中空にし、中空の底部に底蓋（４）を設ける。
（ハ）  取っ手（２）の中空部に歯ブラシ（３）を収納する。
（ニ）  底蓋（４）は取外し可能にして、清掃時に取外し底蓋に溜まった水垢等の汚れを完全に洗うことができる。
本発明は、以上の構成よりなっている。
これを使用する時は、歯ブラシを取っ手の中空の筒から取り出し、歯を磨いた後に取っ手に戻す、又筒の中を洗うときは、中空の筒の底４部に底蓋があり、底蓋を取り外し、水垢等を洗い落とした後底蓋をはめる。
【図面の簡単な説明】
【０００７】
【図１】本発明の正面図である。
【図２】本発明の右側面図である。
【図３】本発明の平面図である。
【図４】本発明の斜視図である。
【符号の説明】
【０００８】  １  コップ
２  取っ手
３  歯ブラシ入れ
４  底蓋
【図１】
2006075562.tif 000003
【図２】
2006075562.tif 000004
【図３】
2006075562.tif 000005
【図４】
2006075562.tif 000006
(57)【要約】【課題】  雨の日に、傘を掛ける場所や置き場所がなく困る事がある、そんな時に身近のテーブルの表面や縁に掛ける事が出来る用にする為には、傷つかず、滑りにくくする為に吸盤を付けた、吸盤付き傘の握柄を提供する。【解決手段】  傘の握柄（１）の一端に、冠状の吸盤取り付け具（１０）を設け、吸盤取り付け具（１０）に吸盤（１４）を設け、吸盤を保護しカバーする為の保護具（５）を傘の握柄に取り付けた事を特徴とする。【選択図】  図１
2006075540.tif 000002
【特許請求の範囲】
【請求項１】
傘の握柄（１）の突起（４）に廻り防止用ピン穴１（３）を設け吸盤保護具（５）を設け、傘の握柄（１）に通し、冠状の、吸盤取り付け具（１０）を設け、吸盤取り付け具（１０）に、廻り防止用ピン穴２（９）を設け、吸盤軸受け穴（１１）を設け、これに穴付き吸盤（１４）を装着し、吸盤取り付け具（１０）を傘の握柄（１）の突起（４）に取り付けた吸盤付き傘の握柄。
【請求項２】
傘の握柄（１）の突起（４）に、吸盤取り付け具（１０）を取り付け固定する為に、廻り防止用ピン穴１（３）と、ピン穴２（９）を設け、取り付けした、請求項１の吸盤付き傘の握柄。
【請求項３】
傘の握柄（１）の突起（４）に、吸盤取り付け具（１０）を取り付け固定する為に螺子止めした、吸盤付き傘の握柄。
【発明の詳細な説明】
【技術分野】
【０００１】  この発明は、傘の握柄の一端に、小さな吸盤を付けた、吸盤付き、傘の握柄に関するものである。
【背景技術】
【０００２】  従来の鉤型の傘の握柄は、末端の部分が、丸みをおびていて平坦な部分に掛けた場合すべりやすかった。
【発明の開示】
【発明が解決しようとする課題】
【０００３】  これはつぎのような欠点があった。
雨の日外出先の、飲食店などで傘を持ち込んだ際、傘の置き場所がなく苦慮していた、それで手元のテーブル上や縁に掛けたりしていたが、鉤型の傘の握柄の末端が丸みをおびているため、すべりやすく落下していた、又、濡れている場合は汚れる原因にもなっていた。
本発明は、以上のような欠点を失くすためになされたものである。
【課題を解決するための手段】
【０００４】  傘の握柄（１）の一端に、ねじ山（２）と、その先端に突起（４）を設け、この突起（４）に、冠状の吸盤取り付け具（１０）を設け、この吸盤取り付け具（１０）の先端に吸盤（１４）を設け、筒状のねじ付き保護具（５）を設け、傘の握柄（１）に螺合し、吸盤取り付け具（１０）を握柄（１）の突起（４）に嵌着し固定する、吸盤を使用しない時は、保護具（５）を回して締めると吸盤（１４）が隠れ、又、使用する時は、保護具（５）を回して緩めることにより吸盤（１４）が、露出し、吸着しやすくなり、平らな場所に掛けても滑り落ちにくく、又、傷つきにくいと、いった利点もあり便利である、
本発明は以上の構成よりなる吸盤付き傘の握柄である。
【発明を実施するための最良の形態】
【０００５】    以下、本発明の実施の形態について説明する。
（イ）傘の握柄（１）の一端に、吸盤保護具を螺着するための、ねじ山（２）とその先端に吸盤取り付け具（１０）を冠着固定するために突円（４）を設ける。
（ロ）傘の握柄（１）の、突起（４）に冠着固定するために、ピン（８）とピン穴２（９）を設け、吸盤（１４）を取り付けるために軸穴（１１）を設け、穴付き吸盤（１４）を設け、これに軸（１２）を通し、吸盤取り付け穴（１１）に軸着し、吸盤取り付け具（１０）を設ける。
（ハ）傘の握柄（１）の螺子（２）に螺着し、吸盤取り付け具（１０）を保護するための保護具（５）を設ける。
本発明は、以上のような構造で、これを使用するときは、ねじ山付き吸盤保護具（５）を廻し、螺子を緩めると吸盤がむき出しになり、吸着させて、すべり落ちるのを防ぐ事ができる、又、使用しない時は、吸盤保護具（５）を廻して締める事で吸盤がかくれ保護することができる。
【発明の効果】
【０００６】  雨の日や雨上がりなど屋内に傘を持ち込んだ際、平胆なテーブル上の縁などに掛ける事がある、そんな時に傘の握柄に吸盤を付けた事により、滑り落ちにくく艶があれば尚効果的でもあるし、傷も付きにくく、又、傘を斜めに掛けても吸盤軸を可動出来る用にしたために、問題なく掛ける事が出来る、又、吸盤保護具を設け、吸盤を使用しない時はこの吸盤保護具でカバーし、邪魔になる事なく、便利である。
【図面の簡単な説明】
【０００７】
【図１】本発明の分解斜視図である。
【図２】本発明の斜視図である。
【図３】本発明の断面図である。
【符号の説明】
【０００８】  １  傘の握柄
２  雄ねじ山
３  ピン穴１
４  突起
５  吸盤保護具
６  ねじ山
７  ピン通し穴
８  ピン
９  ピン穴２
１０  吸盤取り付け具
１１  軸受け穴
１２  軸
１３  吸盤軸穴
１４  吸盤
【図１】
2006075540.tif 000003
【図２】
2006075540.tif 000004
【図３】
2006075540.tif 000005
(57)【要約】【課題】研磨および接着剤による接着が必要ない靴底を提供する。【解決手段】複数の部材が縫合されてなる靴本体１０、靴本体１０底部と接続された靴内底４、靴本体１０底部に巻設され、複数の孔２０を有する側部シート２および靴本体１０と側部シート２との間の空間部２１からなる。熔融された靴外底３の材料が靴が設置された金型に注入され、それぞれの空間部２１と側部シート２の孔２０に容易に充填され、強固に接続される。【選択図】  図５
2006075595.tif 000002
【特許請求の範囲】
【請求項１】
靴本体と、側部シートと、靴外底とからなり、
前記靴本体は、靴外底と接続される靴内底を有し、
前記側部シートは、靴本体下部に巻設され、複数の孔および靴本体と側部シートとの間の少なくとも一つの空間部を有し、
前記靴外底は、側部シートと靴内底とを被覆し、少なくとも一つの空間部と孔とに充填されることを特徴とする研磨および接着剤による接着が必要ない靴底構造。
【請求項２】
前記側部シートは、折目部を有し、側部シートの上端および靴外底の上端は折目部の下まで延伸していることを特徴とする請求項１記載の研磨および接着剤による接着が必要ない靴底構造。
【請求項３】
接続部材が側部シートの底端、靴本体の下端および内底の両端を接続していることを特徴とする請求項１記載の研磨および接着剤による接着が必要ない靴底構造。
【請求項４】
前記靴本体は、複数の部材が縫合されてなることを特徴とする請求項１記載の研磨および接着剤による接着が必要ない靴底構造。
【発明の詳細な説明】
【技術分野】
【０００１】
本発明は、側部シートおよび靴外底を有し、靴外底と靴本体および側部シートは接着剤を使用した接着や縫合による接続ではない方式によって接続される研磨および接着剤による接着が必要ない靴底構造に関する。
【背景技術】
【０００２】
通常、靴外底は接着剤による接着や縫合によって靴本体と接続される。縫合による方式は技術者が大量の縫合機器を操作し、多くの時間が必要とされる。靴製造に多くの労力と時間が必要になるので、そのコストも高くなる。接着剤で接着する方式では、高品質の接着剤と接着部分を研磨してざらざらにし、接着効果を高める必要がある。しかし、殆どの工業用接着剤は有害な化学物質を含み、また、研磨作業の過程で靴本体と靴外底の微粒子が発生し、作業者の肺の健康が脅かされる恐れがある。
【発明の開示】
【発明が解決しようとする課題】
【０００３】
本発明の目的は、研磨および接着剤による接着が必要ない靴底構造を提供することにある。
【課題を解決するための手段】
【０００４】
上記課題を解決するために、請求項１の発明は、靴本体と、側部シートと、靴外底とからなり、靴本体は、靴外底と接続される靴内底を有し、側部シートは、靴本体下部に巻設され、複数の孔および靴本体と側部シートとの間の少なくとも一つの空間部を有し、靴外底は、側部シートと靴内底とを被覆し、少なくとも一つの空間部と孔とに充填されることを特徴とする研磨および接着剤による接着が必要ない靴底構造である。
【０００５】
請求項２の発明は、側部シートは、折目部を有し、側部シートの上端および靴外底の上端は折目部の下まで延伸していることを特徴とする請求項１記載の研磨および接着剤による接着が必要ない靴底構造である。
【０００６】
請求項３の発明は、接続部材が側部シートの底端、靴本体の下端および内底の両端を接続していることを特徴とする請求項１記載の研磨および接着剤による接着が必要ない靴底構造である。
【０００７】
請求項４の発明は、靴本体は、複数の部材が縫合されてなることを特徴とする請求項１記載の研磨および接着剤による接着が必要ない靴底構造である。
【発明の効果】
【０００８】
本発明は縫合も接着剤による接着も必要なく、熔融された靴外底の材料が空間部と側部シートの孔に充填されることによって靴外底と靴本体とを強固に接続できる。また、製造時間も短縮でき、本構造は大量生産に適する。
【発明を実施するための最良の形態】
【０００９】
図１、２、３、４、５に示すように、本発明の研磨および接着剤による接着が必要ない靴底構造は、複数の部材が縫合されてなる靴本体１０、靴本体１０底部と接続された靴内底４、靴本体１０底部に巻設され、複数の孔２０を有する側部シート２および靴本体１０と側部シート２との間の空間部２１からなる。側部シート２は折目部２２を有し、その上端および接続部材５は側部シート２の底端、靴本体１０下端および靴内底４の両端を接続している。
【００１０】
靴外底３は側部シート２を被覆しており、靴外底３（例えばゴム）は少なくとも一つの空間部２１および孔２０に充填される。靴外底３の上端は折目部２２の下まで延伸している。靴外底３の材料は熔融され、靴が設置された金型に注入されることによって、それぞれの空間部２１と側部シート２の孔２０に容易に充填される。
【００１１】
本発明は縫合も接着剤による接着も必要なく、靴外底３と靴本体１０とを強固に接続できる。また、製造時間も短縮でき、本構造は大量生産に適する。
【００１２】
上述の詳細な説明は本発明の実施例を示したものであり、本発明の主旨を逸脱しない範囲において各種修飾や変更を行なうことができる。
【図面の簡単な説明】
【００１３】
【図１】本発明による研磨および接着剤による接着が必要ない靴底構造の靴外底を設置する前の状態を示す斜視図である。
【図２】本発明による研磨および接着剤による接着が必要ない靴底構造の靴外底を設置する前の空間部を示す模式図である。
【図３】本発明による研磨および接着剤による接着が必要ない靴底構造の靴外底を設置した後の状態を示す模式図である。
【図４】本発明による研磨および接着剤による接着が必要ない靴底構造の靴外底を設置した後の状態を示す模式図である。
【図５】本発明による研磨および接着剤による接着が必要ない靴底構造の靴外底を設置した後の状態を示す断面図である。
【符号の説明】
【００１４】
１    研磨および接着剤による接着が必要ない靴底
１０  靴本体
２    側部シート
２０  孔
２１  空間部
２２  折目部
３    靴外底
４    靴内底
５    接続部材
【図１】
2006075595.tif 000003
【図２】
2006075595.tif 000004
【図３】
2006075595.tif 000005
【図４】
2006075595.tif 000006
【図５】
2006075595.tif 000007
(57)【要約】      （修正有）【課題】  睡眠中に地球の引力を利用し、臀部、腰部への負荷を軽減し、腰痛効果の少なくない腰痛リハビリ・マットを提供する。【解決手段】マットの大腿最上部に当たる部分を厚くして、大腿最上部を押し上げことにより臀部を浮かせ、腰椎の前弯を軽減して腰痛を治療するリハビリ・マットであり、マットは、大腿部１と下腿部２は分離でき、その間隔を下肢の長さに合わせて調節でき、その分離した位置で固定具３により固定できる。またマットの下面に滑り止め４を設けてある。【選択図】  図１
2006075554.tif 000002
【特許請求の範囲】
【請求項１】
大腿最上部に当たる部分を厚くする。
【請求項２】
大腿部と下腿部は分離し、分離した位置で固定できる。  以上の如く構成された腰痛を治療するリハビリ・マット。
【発明の詳細な説明】
【技術分野】
【０００１】    この発明は、腰痛を治療するリハビリ・マットに関するものである。    （イ）大腿最上部に当たる部分を厚くして、大腿を押し上げ、臀部を浮かせる厚さを有するマット。    （ロ）マットの大腿部（１）と下腿部（２）は分離でき、両者の間隔を調節し、固定具（３）で固定できるマット。    （ハ）マットの下面は滑り止め（４）をつける。    （ニ）マットの幅はベッドと同程度に広くする。［背景技術］【０００２】    （イ）腰痛の医学的治療法はいろいろあるが、大腿最上部を押し上げ臀部を浮かせることにより、腰椎前弯を軽減して腰痛を治療する方法は行われていない。また、睡眠中に、長時間にわたり地球の引力を利用して治療することは重視されていない。    （ロ）仰臥位での腰痛治療法には、膝関節部に枕を置くのが一般的であるが、この方法では臀部、腰部の負荷は軽減されず、腰痛治療効果は少ない。    （ハ）股関節と膝部を屈曲できるギャッジベッドなどでは、体重を体の背面全体に拡散するため、腰痛治療の効果は少ない。［発明の開示］［発明が解決しようとする課題］【０００３】    背景技術イ、ロ、ハの欠点を改善し、腰痛を軽減治療する。［課題を解決するための手段］【０００４】    腰痛を治療するためのリハビリ・マットで、    （イ）マットの大腿最上部に当たる部分を厚くする。    （ロ）マットは敷布団（５）と同じ程度の幅にする。    （ハ）マットの大腿部（１）と下腿部（２）は分離してその間隔を加減し、固定具（３）で固定できるようにする。    （ホ）マットの下面にすべりどめ（４）をつける。［発明の効果］【０００５】    （イ）このマットを使用すると、大腿最上部を押し上げることにより臀部が浮き、腰椎前弯が軽減される。また睡眠中に長時間にわたり仰臥位に寝ることにより腰痛が治る。    （ロ）腰部の負担が軽減するので、腰痛のために側臥位にしか寝られない人も、仰臥位に寝られるようになることが多い。    （ハ）変形性腰椎症、ぎっくり腰、脊柱管狭搾など各種腰痛症に有効である。    （ニ）足部を高くすると、引力により下肢の鬱血が解消され、下腿浮腫の治療になり、足の倦怠感にも有効である。    （ホ）膝の背側に置く枕などを、敷布団の上に置くと、寝相により容易に位置が変動してしまうが、敷布団、シーツなどの下にマットを置くこと、マットの下面に滑り止めをつけることにより安定する。マットを幅広くすることにより、体動に対応できる。    これらの効果は、臨床的に実証済みである。［発明を実施するための最良の形態］【０００６】    （イ）マットの大腿最上部に当たる部分を厚くし、大腿最上部を押し上げて、臀部を支え浮かせる形態。これにより、腰椎前弯が軽減し、腰痛を治療することができる。    （ハ）マットは大腿部（１）と下腿部（２）に分離でき、固定具（３）で固定できる形態。これにより、個人差のある下肢の長さに応じて、その間隔を加減できる。    （ニ）マットは敷布団（５）の幅と同じ程度の幅広の形態。    （ホ）マットの下面に滑り止め（４）を付けた形態。    ニ、ホの形態により、寝相の悪い人にも対応できる。このマットを敷布団、シーツなどの下に置けば、さらに安定がよくなる。
【図面の簡単な説明】
【０００７】
【図１】本発明のマット使用中の断面図
【符号の説明】
【０００８】  １はマットの大腿部  ２はマットの下腿部  ３は固定具  ４は滑り止め  ５は敷布団
【図１】
2006075554.tif 000003
(57)【要約】【課題】ターゲットラインにパターヘッドのセンターでしか合わすことができなかったパターを正確に合わせやすくする。【解決手段】パターヘッド前方上部のセンターにネックの上端からクラブのソールまでの長さが規則内のネックでターゲットラインを指すよう取り付けたゴルフパター。【選択図】図１
2006075560.tif 000002
【特許請求の範囲】
【請求項１】
パターヘッド前方上部のセンターにネックの上端からクラブのソールまでの長さが規則内のネックでターゲットラインを指すよう取り付けたゴルフパター。
【発明の詳細な説明】
【技術分野】
【０００１】本発明は，パターヘッドのネックをターゲットラインを指すよう取り付け正確にセットができるようになっている。
【背景技術】
【０００２】従来，ターゲットラインにセットするには，パターヘッドのセンターで合わしていた為正確にセットできなかった。
【発明の開示】
【発明が解決しようとする課題】
【０００３】これには，次のような欠点があった。
パターヘッドのセンターでターゲットラインに合わしていたため正確に合わすことができなかった，叉テークバックしたとき，真っ直ぐ引けたか分かりにくかった。
本発明は，これらの欠点を除き，ターゲットラインに正確にセットができるゴルフパターの提供を目的とするものである。
【課題を解決するための手段】
【０００４】この発明のゴルフパターにおいて，パターヘッド１前方上部にネックの上端からクラブのソールまでの長さが規則内でターゲットラインを指すネック２を取り付けた手段を講じたものである。
【発明の効果】
【０００５】このようにすれば，ボールのボールマークをターゲットラインに合わせてネックをボールマークの上に合わせるので正確にセットができる。
【発明を実施するための最良の形態】
【０００６】本発明は，ターゲットラインに正確にセットができるゴルフパターでそれを図面について説明すれば，パターヘッド１前方上部のセンターにターゲット  ラインを指すネック２を取り付けたものである。
【図面の簡単な説明】
【０００７】
【図１】  パターヘッドとネックとシャフトとボールの平面図である。
【図２】  パターヘッドとネックとシャフトとボールの側面図である。
【符号の説明】
【０００８】１  パターヘッド
２  ネック
３  シャフト
４  ボール
【図１】
2006075560.tif 000003
【図２】
2006075560.tif 000004